(57)【特許請求の範囲】
【請求項１】
箱状の骨組みを有した建物ユニットの側面に設けられる出窓の固定構造であって、
前記骨組みには、前記出窓を支持する支持部が設けられ、
前記出窓は、前記支持部に支持される出窓フレームと、この出窓フレームに支持される窓サッシとを少なくとも有して構成され、
前記出窓フレームには、当該出窓フレームが屋内方向に没入した没入位置と、屋外方向に突出した突出位置と、の少なくとも２位置で前記支持部に固定可能でありかつ前記出窓フレームから屋内方向に延びたブラケットが設けられ、
前記出窓フレームは、前記没入位置で前記建物ユニットの屋外側の側面に当接する補強枠を有していることを特徴とする出窓の固定構造。
【請求項２】
請求項１に記載の出窓の固定構造において、
前記出窓は、前記窓サッシの外縁に沿って前記出窓フレームに固定される外壁材を有して構成されていることを特徴とする出窓の固定構造。
【請求項３】
請求項１または請求項２に記載の出窓の固定構造において、
前記支持部は、前記骨組みの柱、および前記骨組みの上下の梁間に架設される間柱、の少なくとも一方に設けられ、
前記ブラケットには、屋内外方向に離隔した少なくとも２箇所にボルト挿通孔が設けられ、これらのボルト挿通孔に挿通させたボルトを介して前記ブラケットが前記支持部に固定されることを特徴とする出窓の固定構造。
【請求項４】
箱状の骨組みを有した建物ユニットの側面に設けられる出窓の施工方法であって、
前記骨組みには、前記出窓を支持する支持部が設けられ、
前記出窓は、前記支持部に支持される出窓フレームと、この出窓フレームに支持される窓サッシとを少なくとも有して構成され、
前記出窓フレームには、当該出窓フレームが屋内方向に没入した没入位置と、屋外方向に突出した突出位置と、の少なくとも２位置で前記支持部に固定可能でありかつ前記出窓フレームから屋内方向に延びたブラケットが設けられ、
前記出窓フレームは、前記没入位置で前記建物ユニットの屋外側の側面に当接する補強枠を有し、
前記没入位置で前記補強枠が前記建物ユニットの屋外側の側面に当接した状態で、前記ブラケットを前記支持部に仮固定し、
前記仮固定した出窓の現場搬送後、前記仮固定を解除するとともに、前記突出位置で前記ブラケットを前記支持部に本固定することを特徴とする出窓の施工方法。
【請求項５】
請求項４に記載の出窓の施工方法において、
前記本固定した出窓フレームに前記窓サッシの外縁に沿って外壁材を取り付けることを特徴とする出窓の施工方法。
【発明の詳細な説明】
【技術分野】
【０００１】
本発明は、出窓の固定構造およびその施工方法に係り、詳しくは、ユニット式建物を構成する建物ユニットの側面に設けられる出窓の固定構造およびその施工方法に関する。
【背景技術】
【０００２】
複数の建物ユニットを並べて構成されるユニット式建物において、所定の建物ユニットの外壁面に出窓が設けられることがある（例えば、特許文献１参照）。この出窓は、窓サッシからなる出窓本体と、その上部に固定される上部部材とで構成され、このような出窓を建物ユニットの外側から取り付けることで、建物ユニットの外壁面と上部部材とが連続するようになっており、出窓周囲の外壁の加工が容易にできるようになっている。
【先行技術文献】
【特許文献】
【０００３】
【特許文献１】特開平１１−６２３９８号公報
【発明の概要】
【発明が解決しようとする課題】
【０００４】
ところで、建物ユニットは、工場で組み立てられるとともに外壁材などが予め艤装された状態で現場に搬送されるのであるが、トラック等で搬送する際の搬送制限を受けることから、建物ユニットの外壁面（特に長辺側面）に突出する前記出窓は、現場での後付けによって固定されることとなる。このため、出窓は、建物ユニットとは別体として組み立てられ、建物ユニットとは別に搬送されるとともに、現場において建物ユニットとは別にクレーン等で吊り上げて建物ユニットに取り付けられる。従って、出窓の搬送に要する輸送コストや輸送手間のみならず、現場での吊り上げ手間等も余計に掛かってしまうため、コストならびに施工手間が増大してしまう。
【０００５】
本発明の目的は、輸送コストや輸送手間が削減できるとともに、現場での施工手間および施工コストも低減することができる出窓の固定構造およびその施工方法を提供することにある。
【課題を解決するための手段】
【０００６】
この目的を達成するために本発明の出窓の固定構造は、以下の構成を備える。
すなわち、図面も参照して説明すると、箱状の骨組み１２を有した建物ユニット１０の側面に設けられる出窓５の固定構造であって、前記骨組み１２には、前記出窓５を支持する支持部１５１が設けられ、前記出窓５は、前記支持部１５１に支持される出窓フレーム５１と、この出窓フレーム５１に支持される窓サッシ５２とを少なくとも有して構成され、前記出窓フレーム５１には、当該出窓フレーム５１が屋内方向に没入した没入位置と、屋外方向に突出した突出位置と、の少なくとも２位置で前記支持部１５１に固定可能でありかつ前記出窓フレーム５１から屋内方向に延びたブラケット５１４が設けられ、前記出窓フレーム５１は、前記没入位置で前記建物ユニット１０の屋外側の側面に当接する補強枠５１１を有していることを特徴とする。
【０００７】
このような本発明によれば、屋内方向に没入した没入位置で出窓フレームを仮固定することで、出窓フレームを固定した建物ユニットの幅寸法として、搬送制限を受けない所定の幅寸法に収めることができるため、出窓フレームおよび窓サッシを工場にて建物ユニットに予め艤装した状態で搬送することができ、輸送コストや輸送手間を削減することができる。さらに、出窓フレームおよび窓サッシが予め建物ユニットに仮固定されているので、この仮固定を現場にて解除してから突出位置にて本固定するだけでよく、出窓フレーム等をクレーン等で吊り上げて設置する必要がないことから、現場での施工手間や施工コストをも低減することができる。
【０００８】
この際、本発明の出窓の固定構造では、前記出窓５は、前記窓サッシ５２の外縁に沿って前記出窓フレーム５１に固定される外壁材５３，５４，５５を有して構成されていることが好ましい。
この構成によれば、支持部を介して骨組みに固定される出窓フレームに外壁材（ＡＬＣ版など）を支持させることで、外壁材を所定の取付位置に確実に支持することができるとともに、出窓の外観を良好にすることができる。
【０００９】
また、本発明の出窓の固定構造では、前記支持部１５１は、前記骨組み１２の柱、および前記骨組み１２の上下の梁間に架設される間柱１５、の少なくとも一方に設けられ、前記ブラケット５１４には、屋内外方向に離隔した少なくとも２箇所にボルト挿通孔５１４Ａ，５１４Ｂが設けられ、これらのボルト挿通孔に挿通させたボルト１５２を介して前記ブラケット５１４が前記支持部１５１に固定されることが好ましい。
この構成によれば、支持部とブラケットとがボルトによって固定されるので、出窓フレームの仮固定、仮固定の解除、および本固定の作業を容易に行うことができ、各作業を効率的に実施することができる。
【００１０】
一方、本発明の出窓の施工方法は、箱状の骨組み１２を有した建物ユニット１０の側面に設けられる出窓５の施工方法であって、前記骨組み１２には、前記出窓５を支持する支持部１５１が設けられ、前記出窓５は、前記支持部１５１に支持される出窓フレーム５１と、この出窓フレーム５１に支持される窓サッシ５２とを少なくとも有して構成され、前記出窓フレーム５１には、当該出窓フレーム５１が屋内方向に没入した没入位置と、屋外方向に突出した突出位置と、の少なくとも２位置で前記支持部１５１に固定可能でありかつ前記出窓フレーム５１から屋内方向に延びたブラケット５１４が設けられ、前記出窓フレーム５１は、前記没入位置で前記建物ユニット１０の屋外側の側面に当接する補強枠５１１を有し、前記没入位置で前記補強枠５１１が前記建物ユニット１０の屋外側の側面に当接した状態で、前記ブラケット５１４を前記支持部１５１に仮固定し、前記仮固定した出窓５の現場搬送後、前記仮固定を解除するとともに、前記突出位置で前記ブラケット５１４を前記支持部１５１に本固定することを特徴とする。
この発明によれば、前述した出窓の固定構造と同様に、輸送コストや輸送手間を削減することができるとともに、現場での施工手間や施工コストをも低減することができる。
【００１１】
また、本発明の出窓の施工方法では、前記本固定した出窓フレーム５１に前記窓サッシ５２の外縁に沿って外壁材５３，５４，５５を取り付けることが好ましい。
この構成によれば、出窓フレームの本固定後に外壁材を取り付けることで、外壁材が輸送制限に掛からないようにできるとともに、外壁材を取り付ける前の出窓フレームを没入位置から突出位置へ移動させて本固定することで、外壁材の重量がない分だけ軽くなることから本固定の作業を容易に行うことができ、作業性を向上させることができる。
【図面の簡単な説明】
【００１２】
【図１】本発明の実施形態に係るユニット式建物を示す斜視図である。
【図２】前記ユニット式建物に設けられる出窓の縦断面図である。
【図３】前記出窓を構成する出窓フレームを示す斜視図である。
【図４】前記出窓フレームが仮固定された状態を示す横断面図である。
【図５】前記出窓フレームが本固定された状態を示す横断面図である。
【図６】本発明の変形例に係る出窓を示す縦断面図である。
【図７】前記変形例の出窓を示す横断面図である。
【発明を実施するための形態】
【００１３】
以下、本発明の実施形態を図面に基づいて説明する。
図１に示すように、本実施形態のユニット式建物１は、基礎２と、基礎２に載置されて前後左右に並設されるとともに上下２段に設けられた複数の建物ユニット１０からなる建物本体３と、この建物本体３の上に設けられる屋根４と、を備えて構成されている。建物ユニット１０は、図２にも示すように、四隅の柱、柱の上端同士を連結する上梁１１、および柱の下端同士を連結する下梁からなる略直方体箱状の骨組み１２を有して構成され、この骨組み１２に床材や天井材１３、外壁材であるＡＬＣ版１４などが予め艤装されている。また、建物ユニット１０のうちの１つには、その長辺側面から突出する出窓５が設けられている。
【００１４】
出窓５は、図２に示すように、出窓フレーム５１と、この出窓フレーム５１の内部に支持される窓サッシ５２と、出窓フレーム５１の屋外側に支持される外壁材としてのＡＬＣ版５３，５４，５５を有して構成されている。出窓フレーム５１は、建物ユニット１０の骨組み１２における上梁１１と下梁とに架設される間柱１５に固定され、建物ユニット１０の外壁面であるＡＬＣ版１４外面から屋外側に突出して設けられている。窓サッシ５２は、出窓フレーム５１の内周部に固定される窓枠５２１と、窓枠５２１の内側に左右開閉自在に支持される内外の障子５２２，５２３および網戸５２４とを有して構成されている。  また、建物ユニット１０の屋内側において、ＡＬＣ版１４に対向して内壁材１６が設けられており、出窓５の屋内側においては、開口が設けられた内壁材１６と窓枠５２１とを連結して窓台１７および額縁１８，１９が四周枠状に設けられている。
【００１５】
外壁材としてのＡＬＣ版５３，５４，５５は、窓サッシ５２の左右両側に沿った断面略コ字形の縦ＡＬＣ版５３（図５参照）と、窓サッシ５２の上辺に沿った上ＡＬＣ版５４と、窓サッシ５２の下辺に沿った下ＡＬＣ版５５とを有して構成されている。上ＡＬＣ版５４と建物ユニット１０のＡＬＣ版１４との間には、適宜な断熱材や下地材５６が設けられるとともに、ＡＬＣ版１４，５４同士に渡りかつ上ＡＬＣ版５４の上方を覆う水切り材５７が設置されている。また、下ＡＬＣ版５５と建物ユニット１０のＡＬＣ版１４との間には、適宜な断熱材や下地材を介して塞ぎ板５８が設置されている。さらに、図５に示すように、縦ＡＬＣ版５３と建物ユニット１０のＡＬＣ版１４との間、および縦ＡＬＣ版５３と上ＡＬＣ版５４および下ＡＬＣ版５５との間には、止水用のシール材５９が介挿されている。
【００１６】
出窓５の出窓フレーム５１は、図３に示すように、所定の間隔で左右一対で設けられる断面略Ｌ字状の補強枠５１１と、この補強枠５１１の上端間に架設される断面略コ字状の上枠５１２と、補強枠５１１の下端間に架設される断面略コ字状の下枠５１３とを有して全体略矩形枠状に形成されている。また、上枠５１２および下枠５１３の左右両端側には、それぞれ屋内側に突出する被固定部としてのブラケット５１４が設けられ、補強枠５１１の上下端部には、それぞれ縦ＡＬＣ版５３を固定するための第１外壁材固定金具５１５および第２外壁材固定金具５１６が設けられている。また、上枠５１２には、上ＡＬＣ版５４を固定するための複数の長穴５１２Ａが設けられ、下枠５１３の左右両端部近傍には、下ＡＬＣ版５５を固定するための第３外壁材固定金具５１７と長穴５１３Ａとが設けられている。
【００１７】
以上の出窓フレーム５１に対して、縦ＡＬＣ版５３は、図５に示すように、その上部に固定した図示しない係合片を第１外壁材固定金具５１５に係合させるとともに、第２外壁材固定金具５１６と当該縦ＡＬＣ版５３に埋設した袋ナットとをボルトで接合することによって固定されている。また、上ＡＬＣ版５４は、上枠５１２の長穴５１２Ａに挿通させたボルト５４１を、当該上ＡＬＣ版５４に埋設した袋ナット５４２に螺合することで、出窓フレーム５１に固定されている。さらに、下ＡＬＣ版５５は、図２に示すように、下枠５１３の長穴５１３Ａおよび第３外壁材固定金具５１７の挿通孔に挿通させたボルト５５１を、当該下ＡＬＣ版５５に埋設した袋ナット５５２に螺合することで、出窓フレーム５１に固定されている。
【００１８】
また、出窓フレーム５１のブラケット５１４は、金属製板材から構成されて上枠５１２および下枠５１３にそれぞれ溶接されており、このブラケット５１４には、上枠５１２または下枠５１３寄りの上下２箇所に形成された第１挿通孔５１４Ａと、当該ブラケット５１４の先端側つまり屋内側寄りの上下２箇所に形成された第２挿通孔５１４Ｂとが設けられている。一方、図４および図５に示すように、建物ユニット１０の間柱１５には、各ブラケット５１４に対応した高さ位置に支持部としての支持プレート１５１が固定されており、この支持プレート１５１にボルト１５２を介してブラケット５１４が固定されるようになっている。具体的には、図４に示すように、第１挿通孔５１４Ａに挿通させたボルト１５２を支持プレート１５１に螺合することで、屋内方向に没入した没入位置において、出窓フレーム５１が建物ユニット１０に固定される。一方、図５に示すように、第２挿通孔５１４Ｂに挿通させたボルト１５２を支持プレート１５１に螺合することで、屋外方向に突出した突出位置において、出窓フレーム５１が建物ユニット１０に固定される。
【００１９】
次に、出窓５の施工方法としての取付手順について説明する。
先ず、工場において、建物ユニット１０の骨組み１２を組み立てた後に、上下の梁に渡って間柱１５を架設するとともに、床材や天井材１３、ＡＬＣ版１４などを艤装するとともに、間柱１５の支持プレート１５１に出窓フレーム５１のブラケット５１４を仮固定しておく。この仮固定としては、第１挿通孔５１４Ａに挿通させたボルト１５２を支持プレート１５１に取り外し可能な程度に螺合することで、出窓フレーム５１が没入位置にて建物ユニット１０に支持されることとなっている。さらに、出窓フレーム５１の内部に窓サッシ５２を取り付けてから、これらの出窓フレーム５１および窓サッシ５２とともに建物ユニット１０を工場から現場に輸送する。
【００２０】
次に現場において、出窓フレーム５１が仮固定された建物ユニット１０に対し、ボルト１５２を支持プレート１５１から一旦取り外してから、出窓フレーム５１を屋外方向に移動させ、第２挿通孔５１４Ｂに挿通させたボルト１５２を支持プレート１５１に螺合する。これにより出窓フレーム５１が突出位置にて建物ユニット１０に本固定されることとなる。そして、突出位置にて本固定した出窓フレーム５１に対し、縦ＡＬＣ版５３、上ＡＬＣ版５４および下ＡＬＣ版５５を順次固定し、これにより出窓５を完成させてから、この出窓５を有する建物ユニット１０をクレーン等で吊り上げて、基礎上や他の建物ユニット１０上に載置、固定して建物ユニット１０の設置が完了する。その後、出窓５の屋内側において内壁材１６や窓台１７、額縁１８，１９等の内装仕上げ材を取り付け施工することで、出窓５周辺の施工が完了する。
【００２１】
以上の本実施形態によれば、以下のような効果が得られる。
すなわち、屋内方向に没入した没入位置で出窓フレーム５１を建物ユニット１０に仮固定した状態で、この建物ユニット１０を搬送することで、出窓フレーム５１および窓サッシ５２を別途輸送する場合と比較して、輸送コストや輸送手間を削減することができる。さらに、出窓フレーム５１および窓サッシ５２が予め建物ユニット１０に仮固定されているので、この仮固定を現場にて解除してから突出位置にて本固定するだけでよく、出窓フレーム５１等をクレーン等で吊り上げて設置する必要がないことから、現場での施工手間や施工コストをも低減することができる。
【００２２】
また、間柱１５の支持プレート１５１を介して出窓フレーム５１が建物ユニット１０の骨組み１２に固定され、この出窓フレーム５１にＡＬＣ版５３，５４，５５が支持されることで、ＡＬＣ版５３，５４，５５を所定の取付位置に確実に支持することができるとともに、出窓５の外観を良好にすることができる。
さらに、間柱１５の支持プレート１５１と出窓フレーム５１のブラケット５１４とがボルト１５２によって仮固定または本固定されるので、出窓フレーム５１の仮固定、仮固定の解除、および本固定の作業を容易に行うことができ、各作業を効率的に実施することができる。従って、現場での施工手間をさらに軽減させることができる。
【００２３】
なお、本発明は、前記実施形態に限定されるものではなく、本発明の目的を達成できる他の構成等を含み、以下に示すような変形等も本発明に含まれる。
例えば、前記実施形態では、２階建てのユニット式建物１について説明し、２階部分の建物ユニット１０に出窓５が設置される場合を例示したが、これに限らず、建物の階数や、建物ユニットの配列、出窓の設置位置などは任意に設定可能である。
さらに、前記実施形態では、建物ユニット１０の長辺側面から突出して出窓５が設けられていたが、建物ユニット１０の短辺側面から突出した出窓であってもよい。
【００２４】
また、前記実施形態では、建物ユニット１０の上下の梁に架設される間柱１５に支持部である支持プレート１５１を設け、この支持プレート１５１に出窓フレーム５１が仮固定または本固定される構成を説明したが、支持部としては、間柱１５に設けられるものに限られない。すなわち、建物ユニット１０の隣り合う柱に一対の支持部が設けられていてもよく、建物ユニットの柱に一方の支持部が設けられて他方の支持部が間柱に設けられていてもよい。さらには、建物ユニットの上下の梁や、中間梁などに支持部が設けられていてもよい。
【００２５】
建物ユニットの梁に支持部を設けた具体的な態様としては、図６、７に示すように、建物ユニット１０の上梁１１に固定した断面略Ｔ字形やＬ字形の支持ブラケット１１１によって支持部が構成され、この支持ブラケット１１１に対し、出窓フレーム５１のブラケット５１４をボルト１１２およびナットで固定する構造が例示できる。このように上梁１１の支持ブラケット１１１に出窓フレーム５１のブラケット５１４を固定することで、窓サッシ５２の高さ寸法が大きくでき、天井まで開口部を有した出窓５を構成することができる。
【００２６】
また、前記実施形態では、建物ユニット１０とともに現場に輸送した後の出窓フレーム５１に外壁材としてのＡＬＣ版５３，５４，５５を固定する手順を説明したが、建物ユニット１０の短辺側面に出窓５を設置する場合など、輸送制限に掛からなければ、工場にてＡＬＣ版５３，５４，５５を固定してから現場に輸送してもよい。
【符号の説明】
【００２７】
５    出窓
１０    建物ユニット
１２    骨組み
１５    間柱
５１    出窓フレーム
５２    窓サッシ
５３，５４，５５    ＡＬＣ版（外壁材）
１１１    支持ブラケット（支持部）
１５１    支持プレート（支持部）
１５２    ボルト
５１４    ブラケット（被固定部）
５１４Ａ    第１挿通孔
５１４Ｂ    第２挿通孔
【図１】
0005439084.tif 000002
【図２】
0005439084.tif 000003
【図３】
0005439084.tif 000004
【図４】
0005439084.tif 000005
【図５】
0005439084.tif 000006
【図６】
0005439084.tif 000007
【図７】
0005439084.tif 000008